(57)【特許請求の範囲】
【請求項１】
本体枠に設けた操作部に一端が突出し、芯を上下動させる芯上下機構と連結して芯の上下操作を行う摘みレバーと、該摘みレバーの突出した一端に取り付けるスライド摘みと、放電電極による芯への点火動作を行う点火スイッチとを備え、前記スライド摘みを操作することにより芯の上下操作を行い、前記点火スイッチを操作することにより点火動作を行う石油ストーブの放電式点火装置において、前記点火スイッチはスライド摘みと一体に形成されると共に、芯が点火位置に達するまでスライド摘みを操作した時、点火スイッチを操作すると点火動作を行うと共に、芯が点火位置に達しいないところまでスライド摘みを操作した時、点火スイッチを操作しても点火動作を行わない誤点火防止手段を点火スイッチに設けたことを特徴とする石油ストーブの放電式点火装置。
【請求項２】
本体枠に設けた操作部に一端が突出し、芯を上下動させる芯上下機構と連結して芯の上下操作を行う摘みレバーと、該摘みレバーの突出した一端に取り付けるスライド摘みと、放電電極による芯への点火動作を行う点火スイッチとを備え、前記スライド摘みを操作することにより芯の上下操作と点火操作とを行う石油ストーブの放電式点火装置において、前記スライド摘みをスライドさせることにより芯の上下操作を行い、スライド摘みが押し込まれた時点火スイッチが点火動作を行うと共に、芯が点火位置に達していないときはスライド摘みが押し込まれても点火スイッチを常にオフ状態とする誤点火防止手段を設け、前記スライド摘みは、芯の上下操作時に摘む摘み部と、点火操作時に押し込む点火部とからなり、点火操作時に押し込まれた点火部が当接してオン状態となる点火スイッチを摘みレバーの一端部分に取り付け、前記点火部には、点火部が押し込まれないように点火部背面に防止片を設けると共に、芯が点火位置に達している状態では点火部が押し込めるように防止片に対向する操作部部分に点火用溝を設け、該点火用溝と防止片とにより誤点火防止手段を構成したことを特徴とする石油ストーブの放電式点火装置。
【請求項３】
本体枠に設けた操作部に一端が突出し、芯を上下動させる芯上下機構と連結して芯の上下操作を行う摘みレバーと、該摘みレバーの突出した一端に取り付けるスライド摘みと、放電電極による芯への点火動作を行う点火スイッチとを備え、前記スライド摘みを操作することにより芯の上下操作と点火操作とを行う石油ストーブの放電式点火装置において、前記スライド摘みをスライドさせることにより芯の上下操作を行い、スライド摘みが押し込まれた時点火スイッチが点火動作を行うと共に、芯が点火位置に達していないときはスライド摘みが押し込まれても点火スイッチを常にオフ状態とする誤点火防止手段を設け、前記スライド摘みは、芯の上下操作時に摘む摘み部と、点火操作時に押し込む点火部からなり、前記点火スイッチは、芯が点火位置に達するようにスライド摘みをスライドさせた状態で押し込まれる点火部に当接してオン状態となる第１スイッチと、芯が点火位置に達するようにスライド摘みをスライドさせた時摘みレバーと当接してオン状態となる第２スイッチとからなり、前記誤点火防止手段は第１スイッチと第２スイッチとが両方オン状態となったときのみ点火スイッチに点火動作を行わせることを特徴とする石油ストーブの放電式点火装置。
【発明の詳細な説明】
【０００１】
【産業上の利用分野】
この発明は、芯上下式石油ストーブの放電式点火装置に関するものである。
【０００２】
【従来の技術】
従来よりこの種のものに於いては、例えば図８に示すように、スライド摘み１０１を押し下げることにより芯上げを行い、スライド摘み１０１を芯上げが完了する位置から更に押し下げることにより、点火用電池（図示せず）を電源とした放電電極（図示せず）による点火を行うものであった。
【０００３】
つまり消火時の位置にあるスライド摘み１０１を押し下げることにより、摘みレバー１０２が回動し、該摘みレバー１０２の先端部分と連結されている芯上下レバー１０３が回動して芯上下軸１０４を回動させ、それにより芯（図示せず）が上昇する。
【０００４】
又摘みレバー１０２と同軸に軸支されている回転板１０５の係止部１０６と摘みレバー１０２とが当接し、回転板１０５を元の位置に戻そうとする戻しバネ１０７に蓄力しながら回転板１０５を回動させる。
【０００５】
そして芯が上昇して最大燃焼位置に達するまで摘みレバー１０２を回動させた時、回転板１０５が耐震自動消火装置１０８のロック部１０９と係合して、戻しバネ１０７が蓄力した状態で回転板１０５を係止し、摘みレバー１０２もその位置で静止する。
【０００６】
その位置からスライド摘み１０１を更に押し下げると、摘みレバー１０２が係止部１０６と当接した状態で回動し、ロック部１０９と係合している回転板１０５を更に回動させながら、芯上下レバー１０３も回動させて、芯を最大燃焼位置から点火位置まで上昇させると共に、回転板１０５の当接部１１０が点火スイッチ１１１と当接し、それにより点火スイッチ１１１がオン状態となって放電点火装置（図示せず）が放電を行い、その放電火花により芯に着火させる。
【０００７】
着火後、スライド摘み１０１から手を離すと、戻しバネ１０７により回転板１０５が再度ロック部１０９と係合する位置まで逆方向に回動し、それにより回転板１０５の当接部１１０が点火スイッチ１１１から離れて、該点火スイッチ１１１がオフ状態となって放電点火装置が放電を停止すると共に、係止部１０６により摘みレバー１０２が逆方向に回動し、それにより芯上下レバー１０３が逆方向に回動して芯を点火位置から最大燃焼位置まで下降させる。
【０００８】
そしてその状態から火力調節するためにスライド摘み１０１を持ち上げると、摘みレバー１０２が逆方向に回動し、それにより芯上下レバー１０３が逆方向に回動して、スライド摘み１０１を持ち上げるのに対応して芯を最大燃焼位置から下降させて火力を小さくするものであった。
【０００９】
【発明が解決しようとする課題】
ところでこの従来のものでは、芯の上下動作と点火動作とがスライド摘みの上下操作により行われるため、火力を調節するためにスライド摘みを押し下げた時、勢い余って点火動作位置まで押し下げてしまったり、子供がいたずらして押し下げてしまった場合、着火しているにもかかわらず点火動作を行って点火用の電池の寿命を短くしてしまう欠点があった。
【００１０】
又消火状態で石油ストーブの周りに人がいない時や、シーズンオフに燃油を抜かずに点火用電池がセットされたままで石油ストーブをしまっている場合などに、物が落下して当たったり等何らかの原因でスライド摘みが押し下げられたりすると点火してしまう場合があった。
【００１１】
【問題点を解決するための手段】
本発明はこの点に着目し上記欠点を解決するため、特にその構成を、請求項１では、本体枠に設けた操作部に一端が突出し、芯を上下動させる芯上下機構と連結して芯の上下操作を行う摘みレバーと、該摘みレバーの突出した一端に取り付けるスライド摘みと、放電電極による芯への点火動作を行う点火スイッチとを備え、前記スライド摘みを操作することにより芯の上下操作を行い、前記点火スイッチを操作することにより点火動作を行う石油ストーブの放電式点火装置において、前記点火スイッチはスライド摘みと一体に形成されると共に、芯が点火位置に達するまでスライド摘みを操作した時、点火スイッチを操作すると点火動作を行うと共に、芯が点火位置に達しいないところまでスライド摘みを操作した時、点火スイッチを操作しても点火動作を行わない誤点火防止手段を点火スイッチに設けたものである。
【００１２】
又本発明の請求項２に係る石油ストーブの放電式点火装置では、本体枠に設けた操作部に一端が突出し、芯を上下動させる芯上下機構と連結して芯の上下操作を行う摘みレバーと、該摘みレバーの突出した一端に取り付けるスライド摘みと、放電電極による芯への点火動作を行う点火スイッチとを備え、前記スライド摘みを操作することにより芯の上下操作と点火操作とを行う石油ストーブの放電式点火装置において、前記スライド摘みをスライドさせることにより芯の上下操作を行い、スライド摘みが押し込まれた時点火スイッチが点火動作を行うと共に、芯が点火位置に達していないときはスライド摘みが押し込まれても点火スイッチを常にオフ状態とする誤点火防止手段を設け、前記スライド摘みは、芯の上下操作時に摘む摘み部と、点火操作時に押し込む点火部とからなり、点火操作時に押し込まれた点火部が当接してオン状態となる点火スイッチを摘みレバーの一端部分に取り付け、前記点火部には、点火部が押し込まれないように点火部背面に防止片を設けると共に、芯が点火位置に達している状態では点火部が押し込めるように防止片に対向する操作部部分に点火用溝を設け、該点火用溝と防止片とにより誤点火防止手段を構成したものである。
【００１３】
又本発明の請求項３に係る石油ストーブの放電式点火装置では、本体枠に設けた操作部に一端が突出し、芯を上下動させる芯上下機構と連結して芯の上下操作を行う摘みレバーと、該摘みレバーの突出した一端に取り付けるスライド摘みと、放電電極による芯への点火動作を行う点火スイッチとを備え、前記スライド摘みを操作することにより芯の上下操作と点火操作とを行う石油ストーブの放電式点火装置において、前記スライド摘みをスライドさせることにより芯の上下操作を行い、スライド摘みが押し込まれた時点火スイッチが点火動作を行うと共に、芯が点火位置に達していないときはスライド摘みが押し込まれても点火スイッチを常にオフ状態とする誤点火防止手段を設け、前記スライド摘みは、芯の上下操作時に摘む摘み部と、点火操作時に押し込む点火部からなり、前記点火スイッチは、芯が点火位置に達するようにスライド摘みをスライドさせた状態で押し込まれる点火部に当接してオン状態となる第１スイッチと、芯が点火位置に達するようにスライド摘みをスライドさせた時摘みレバーと当接してオン状態となる第２スイッチとからなり、前記誤点火防止手段は第１スイッチと第２スイッチとが両方オン状態となったときのみ点火スイッチに点火動作を行わせるものである。
【００１４】
【作用】
上記の構成により、スライド摘み２０の上下操作では芯の上下動作のみを行い、スライド摘み２０を押し下げて芯が点火位置に達した状態でスライド摘み２０の点火部２４を押し込む操作により点火動作を行うので、スライド摘み２０の上下操作中に誤って点火動作を行うことを防止でき、それにより点火用電池の寿命が短くなるのを防止でき、また、物が落下して当たったり等何らかの原因でスライド摘み２０が下まで押し下げられても、更に押し込まれなければ点火動作しないので極めて安全である。
【００１５】
又芯が点火位置に位置していない状態、つまりスライド摘み２０が下まで押し下げられていない状態でスライド摘み２０の点火部２４を押し込んでも、点火スイッチ１４はオフ状態のままで点火動作は行わないので、子供等のいたずらによる点火動作を防止できるものである。
【００１６】
【実施例】
次に、この発明に係る石油ストーブの放電式点火装置を図面に示された一実施例で説明する。
１は前面上部を開放し内方には燃油タンク（図示せず）や燃焼部（図示せず）を収納した本体枠で、前面下部を取り外し自在な前面板２により構成している。
前記前面板２の中央やや右よりの開口部３にはパネル状に形成されたプラスチックの操作部４が嵌合されている。
【００１７】
５は本体枠１の前面上部開放部分に備えられた燃焼筒で、その周りを熱が反射する反射板６で囲んでいる。
【００１８】
７は操作部４に設けられた凹部で、該凹部７内の正面部分には断面円弧状の円弧部８が形成され、更に該円弧部８の中央部分には上下方向に長孔上のスライド孔９が形成されているものである。
【００１９】
更に前記スライド孔９を中心にして円弧部８下方の左右には、点火用溝１０、１１が形成されているものである。
【００２０】
１２は摘みレバーで、その一端が突出部１３として本体枠１内から操作部４の凹部７のスライド孔９を貫通して凹部７内に突出し、他端が本体枠１内に収納された燃焼部の芯上下機構（図示せず）と連結しており、摘みレバー１２が回動することにより芯（図示せず）が上下に動作するものである。
【００２１】
１４は摘みレバー１２の突出部１３のやや他端よりに設けた点火スイッチで、信号線１５、１６により点火回路（図示せず）と接続されているスイッチ端子１７、１８と、該両スイッチ端子１７、１８と接触することにより点火スイッチ１４をオン状態とする断面Ｌ字状のスイッチ片１９が設けられている。
【００２２】
２０は断面Ｌ字状のスライド摘みで、芯を上下動させるために摘みレバー１２をスライドさせる時、例えば上下動させる時に摘む摘み部２１と、背面に誤点火を防止するための防止片２２、２３を設け点火動作する際に指により押し込まれる点火部２４とからなり、操作部４の凹部７内に突出する摘みレバー１２の突出部１３先端に取り付けられるものである。
【００２３】
そして摘みレバー１２の突出部１３先端にスライド摘み２０を取り付けた時、点火部２４の背面にある防止片２２、２３間に両スイッチ端子１７、１８と接触しない状態でスイッチ片１９が位置するようになっている。
【００２４】
２５は操作部４に設けた消火ボタンで、押し込むことにより燃焼部の耐震自動消火装置（図示せず）を作動させて瞬時に芯を消火位置まで下降させることにより消火を行うものである。
【００２５】
次にこの実施例の作動について説明する。
まず消火状態から点火操作するときは、図３のように、消火時には摘みレバー１２が戻しバネ（図示せず）により引っ張られて、スライド摘み２０がスライド孔９の上方に位置しているので、そのスライド摘み２０の摘み部２１を指で押し下げてスライドさせることにより、摘みレバー１２が回動して芯が上昇する。
【００２６】
この時、誤ってスライド摘み２０の点火部２４を押し込もうとしても、点火部２４の背面にある防止片２２、２３が、凹部７の円弧部８に当接して押し込まれず、スイッチ片１９がスイッチ端子１７、１８と接触することはなく、点火スイッチ１４はオフ状態のままで点火動作は行われない。
【００２７】
そして図４のように、芯が上昇して点火位置に達するまでスライド摘み２０を押し下げると、芯を点火位置に保持する保持機構（図示せず）により芯が点火位置に保持されると共に、摘みレバー１２もその位置に静止する。
【００２８】
この時、点火部２４背面の防止片２２、２３は、円弧部８の点火用溝１０、１１のところに位置しており、ここでスライド摘み２０の点火部２４を押し込むと、点火部２４は防止片２２、２３が点火用溝１０、１１の溝部分に当接するまで後方に傾斜する。
【００２９】
それにより、点火スイッチ１４のスイッチ片１９が点火部２４背面に押されてスイッチ端子１７、１８と当接し、点火スイッチ１４がオン状態となって放電電極（図示せず）による点火動作が行われ、その放電火花により芯が着火する。
【００３０】
そして、着火後、点火部２４から指を離すと、押し込まれて後方に傾斜していた点火部２４は、点火部２４自身の弾性により元の角度まで復帰し、それにより点火部２４の背面に押されていたスイッチ片１９も、スイッチ片１９自身の弾性により元の角度まで復帰してスイッチ端子１７、１８と離れ、点火スイッチ１４はオフ状態となって点火動作が終了する。
【００３１】
そして、その状態からスライド摘み２０を押し上げることにより芯が点火位置から下降し、石油ストーブの火力を最大の状態から任意の火力に調整できるものである。
【００３２】
このように、スライド摘み２０の上下操作は芯の上下動作、スライド摘み２０の点火部２４の押し込み操作は点火動作というように、スライド摘み２０を操作するのであっても芯の上下動作と点火動作とは異なる操作なので、芯の上下動作中、つまりスライド摘み２０の上下操作中に誤って点火動作を行ってしまうことがなく、芯の上下操作中の誤操作による点火動作での点火用電池の消耗を防止でき、また、物が落下して当たったり等何らかの原因でスライド摘み２０が下まで押し下げられても、更に押し込まれなければ点火動作しないので極めて安全である。
【００３３】
更にスライド摘み２０を押し下げて芯が点火位置まで上昇したとき、点火部２４が押し込めるようになっている、つまり点火動作ができるようになっているので、芯が点火位置にない状態では点火動作できず、防止片２２、２３と点火用溝１０、１１とにより誤点火防止手段を構成して、子供などのいたずらによる点火用電池の消耗を防止できるものである。
【００３４】
次にこの発明に係るその他の実施例について説明する。
前記本実施例と異なる点は、図５、図６、図７に示すように、摘みレバー１２に係合片２６を設け、スライド摘み２０を下まで押し下げて、芯が点火位置まで上昇した時の点火部２４背面のやや端の部分に対向するように、スイッチ片２７を円弧部８下方のスライド孔９の横の部分に突出させた第１スイッチ２８と、スライド摘み２０を下まで押し下げて芯が点火位置まで上昇した時、スイッチ片２９が係合片２６により押圧されてオン状態となる第２スイッチ３０とにより点火スイッチ１４を構成し、又スライド摘み２０の点火部２４背面には、防止片２２、２３がなく、円弧部８には点火用溝１０、１１が形成されていない点である。
【００３５】
次にその他の実施例の作動について説明する。
まず消火状態から点火操作するときは、図５及び図６のように、消火時には摘みレバー１２が戻しバネ（図示せず）により引っ張られて、スライド摘み２０がスライド孔９の上方に位置しているので、そのスライド摘み２０の摘み部２１を指で押し下げてスライドさせることにより、摘みレバー１２が回動して芯が上昇する。
【００３６】
この時、誤ってスライド摘み２０の点火部２４を押し込んでも、後方に傾斜した点火部２４の背面には第１スイッチ２８のスイッチ片２７が位置していないので、当然第１スイッチ２８はオフ状態のままであり、したがって点火動作は行われない。
【００３７】
そして図７のように、芯が上昇して点火位置に達するまでスライド摘み２０を押し下げると、芯を点火位置に保持する保持機構（図示せず）により芯が点火位置に保持されると共に、摘みレバー１２もその位置に静止する。
この時、第２スイッチ３０のスイッチ片２９は摘みレバー１２の係合片２６により押圧され、第２スイッチ３０はオン状態となるが、まだ点火動作は行われない。
【００３８】
そしてこの時、スライド摘み２０の点火部２４を押し込むと、点火部２４が後方に傾斜してその背面が第１スイッチ２８のスイッチ片２７に当接し、第１スイッチ２８もオン状態となって放電電極による点火動作が行われる。
【００３９】
つまり、第１スイッチ２８及び第２スイッチ３０の両方がオン状態になることによって、点火スイッチ１４がオン状態となって放電電極による点火動作が行われ、その放電火花により芯が着火するものである。
【００４０】
そして、着火後、点火部２４から指を離すと、押し込まれて後方に傾斜していた点火部２４は、点火部２４自身の弾性により第１スイッチ２８のスイッチ片２７から離れて元の角度まで復帰して第１スイッチ２８がオフ状態となり、それにより点火スイッチ１４はオフ状態となって点火動作が終了する。
【００４１】
そして、その状態からスライド摘み２０を押し上げることにより、係合片２６がスイッチ片２９から離れて第２スイッチ３０もオフ状態になると共に、芯が点火位置から下降し、石油ストーブの火力を最大の状態から任意の火力に調整できるものである。
【００４２】
このように、スライド摘み２０の上下操作は芯の上下動作、スライド摘み２０の点火部２４の押し込み操作は点火動作というように、スライド摘み２０をを操作するのであっても芯の上下動作と点火動作とは異なる操作なので、芯の上下動作中、つまりスライド摘み２０の上下操作中に誤って点火動作を行ってしまうことがなく、芯の上下操作中の誤操作による点火動作での点火用電池の消耗を防止でき、また、物が落下して当たったり等何らかの原因でスライド摘み２０が下まで押し下げられても、更に押し込まれなければ点火動作しないので極めて安全である。
【００４３】
更にスライド摘み２０が下まで押し下げ切られていない状態、つまり芯が点火位置まで達していない状態の時に、円弧部８から突出している第１スイッチ２８のスイッチ片２７を指などで押して第１スイッチ２８をオン状態にしても、スイッチ片２９が本体枠１内に位置していたずらできない第２スイッチ３０がオフ状態なので、点火スイッチ１４はオフ状態のままで点火動作をできず、第１スイッチ２８と第２スイッチ３０とにより誤点火防止手段を構成して、子供などのいたずらによる点火用電池の消耗を防止できるものである。
【００４４】
尚、本実施例ではスライド摘み２０を上下方向にスライドさせることにより芯の上下動作を行うがこれに限定されず、スライド摘み２０を左右方向にスライドさせることにより芯の上下動作を行うようにしてもよい。
【００４５】
また、摘みレバー１２の一端を操作部４の凹部７内に突出させ、その先端にスライド摘み２０を取り付けて、凹部７内にスライド摘み２０が位置するようにしたがこれに限定されず、本体枠１前面に摘みレバー１２の一端を突出させ、その先端にスライド摘み２０を取り付けて、スライド摘み２０を本体枠１前面に露出するように設けてもよい。
【００４６】
【発明の効果】
以上のようにこの発明によれば、芯の上下動作と点火動作とを一つのスライド摘みを操作することででき、しかも芯の上下動作はスライド摘みの上下操作により行い、点火動作はスライド摘みの押し込み操作により行うので、スライド摘みの上下操作により誤って点火動作を行うことがなく、芯の上下操作中の誤操作による点火動作での点火用電池の消耗を防止でき、また、物が落下して当たったり等何らかの原因でスライド摘みが下まで押し下げられても、更に押し込まれなければ点火動作しないので極めて安全である。
【００４７】
更に芯が点火位置まで達している状態、つまりそうなる位置までスライド摘みを押し下げた時に点火動作ができるようにしたので、芯が点火位置まで達していない状態、つまり点火動作を行う意思がない状態での点火動作は行わないので、子供などのいたずらによる点火用電池の消耗も防止できるものである。
【００４８】
【図面の簡単な説明】
【図１】  この発明の一実施例を付した石油ストーブの斜視図。
【図２】同要部斜視図。
【図３】同消火時の要部断面図。
【図４】同点火時の要部断面図。
【図５】  この発明に係る他の実施例を付した石油ストーブの要部正面図。
【図６】同消火時の要部断面図。
【図７】同点火時の要部断面図
【図８】従来例の要部断面図。
【符号の説明】
１    本体枠
４    操作部
１０、１１  点火用溝
１２  摘みレバー
１４  点火スイッチ
２０  スライド摘み
２１  摘み部
２２、２３  防止片
２４  点火部
２８  第１スイッチ
３０  第２スイッチ
【図１】
0003822377.tif 000002
【図２】
0003822377.tif 000003
【図３】
0003822377.tif 000004
【図４】
0003822377.tif 000005
【図５】
0003822377.tif 000006
【図６】
0003822377.tif 000007
【図７】
0003822377.tif 000008
【図８】
0003822377.tif 000009